(57)【要約】【課題】バケツの内部に貯留された排泄物の臭気が漏れることを確実に防止するとともに、シャッタに付着した排泄物の拡散を防止する。【解決手段】トイレ本体１０と、トイレ本体１０に着脱可能に設けられ、排泄物を貯留するバケツ２０と、バケツ２０の上面の開口端部２０ｈに当接しながらスライドして、バケツ２０の開口部２０ｂの全体を閉塞するシャッタ５０と、トイレ本体１０に回転自在に設けられ、外周の長さがシャッタ５０がスライド方向にスライド移動する長さよりも長く、外周にシャッタ５０を巻き取るホイール６０とを備える。【選択図】図２
2014061184.tif 000002
【特許請求の範囲】
【請求項１】
トイレ本体と、
上記トイレ本体に着脱可能に設けられ、排泄物を貯留するバケツと、
上記バケツの上面の開口端部に当接しながらスライドして、該バケツの開口部全体を閉塞するシャッタと、
上記トイレ本体に回転自在に設けられ、外周の長さが上記シャッタがスライド方向にスライド移動する長さよりも長く、該外周に該シャッタを巻き取るホイールとを備えるポータブルトイレ。
【請求項２】
上記ホイールは、上記シャッタがスライド方向にスライド移動する長さの略１／３よりも長い直径を有する略円環状を成す請求項１に記載のポータブルトイレ。
【請求項３】
上記トイレ本体に回動自在に設けられた蓋体を更に備え、
上記シャッタは、上記蓋体の開位置への回動に連動して、上記ホイールが一方側に回転駆動することで、上記バケツの上面の開口端部に当接しながらスライドして、該バケツの開口部を開放し、上記蓋体の閉位置への回動に連動して、上記ホイールが他方側に回転駆動することで、上記バケツの上面の開口端部に当接しながらスライドして、該バケツの開口部の全体を閉塞する請求項１又は請求項２に記載のポータブルトイレ。
【発明の詳細な説明】
【技術分野】
【０００１】
本発明は、高齢者や病人や体が不自由な人等が、ベッドから離れることはできるが、病院や自宅等に常設されたトイレまで行けない、又は、トイレまでの移動が不安定な場合において、病室や部屋等の所定の場所に設置して使用するポータブルトイレに関する。
【背景技術】
【０００２】
従来のポータブルトイレは、排泄物を貯留するバケツに蓋体で蓋をすることでバケツ内からの匂いの発散を防止している。しかしながら、従来のポータブルトイレは、便座を開けないと蓋体の開閉ができず、使用者に対する操作負担が大きかった。そこで、特許文献１のポータブルトイレでは、蓋体の代わりに、便座を開けなくてもバケツの開口部を開閉できるシャッタが設けられている。
【０００３】
しかしながら、特許文献１のポータブルトイレでは、シャッタがバケツを支持しているトイレ本体上を摺動するために、バケツとトイレ本体の隙間からバケツ内の臭気が漏れる虞がある。
【０００４】
更に、特許文献１のポータブルトイレでは、シャッタが巻取機構に何重にも巻き付けられて、重ねて収納されている。したがって、特許文献１のポータブルトイレでは、例えばシャッタの裏面に排泄物が付着していた場合、排泄物が付着している裏面と接触したシャッタの表面に排泄物が付着して排泄物が拡散してしまう虞がある。
【先行技術文献】
【特許文献】
【０００５】
【特許文献１】特開２０００−２５４０３８号公報
【発明の概要】
【発明が解決しようとする課題】
【０００６】
本発明は、以上のような問題点に鑑みてなされたものであり、バケツの内部に貯留された排泄物の臭気が漏れることを確実に防止するとともに、シャッタに付着した排泄物の拡散を防止することが可能なポータブルトイレを提供することを目的とする。
【課題を解決するための手段】
【０００７】
本発明に係るポータブルトイレは、トイレ本体と、トイレ本体に着脱可能に設けられ、排泄物を貯留するバケツと、バケツの上面の開口端部に当接しながらスライドして、バケツの開口部の全体を閉塞するシャッタと、トイレ本体に回転自在に設けられ、外周の長さがシャッタがスライド方向にスライド移動する長さよりも長く、外周にシャッタを巻き取るホイールとを備える。
【０００８】
更に、ホイールは、シャッタがスライド方向にスライド移動する長さの略１／３よりも長い直径を有する略円環状を成すようにしても良い。
【０００９】
更に、本発明に係るポータブルトイレは、トイレ本体に回動自在に設けられた蓋体を更に備え、シャッタは、蓋体の開位置への回動に連動して、ホイールが一方側に回転駆動することで、バケツの上面の開口端部に当接しながらスライドして、バケツの開口部を開放し、蓋体の閉位置への回動に連動して、上記ホイールが他方側に回転駆動することで、バケツの上面の開口端部に当接しながらスライドして、バケツの開口部の全体を閉塞するようにしても良い。
【発明の効果】
【００１０】
本発明は、シャッタが、バケツの上面の開口端部に当接しながらスライドして、バケツの開口部の全体を閉塞することで、バケツ内が確実に密閉することができ、バケツの内部に貯留された排泄物の臭気が漏れることを確実に防止することができる。
【００１１】
更に、本発明は、使用時にシャッタを巻き取るホイールの外周の長さがシャッタがスライド方向にスライド移動する長さよりも長くなるように設けられているので、使用時にシャッタがホイールの外周に巻き取られる際にホイールの外周に２周以上巻き付けられることがなく、シャッタ同士が重なることがないので、シャッタの裏面に排泄物が付着していた場合でも、排泄物が拡散することを防止することができ、より衛生的に保つことができる。
【図面の簡単な説明】
【００１２】
【図１】本発明を適用したポータブルトイレの蓋体が閉位置に配置された状態を示した前方斜視図である。
【図２】本発明を適用したポータブルトイレの蓋体が開位置に配置された状態を示した前方斜視図である。
【図３】本発明を適用したポータブルトイレを示した分解前方斜視図である。
【図４】本発明を適用したポータブルトイレの蓋体が閉位置に配置された状態を示した縦断面図である。
【図５】本発明を適用したポータブルトイレの蓋体が開位置に回動され始めた状態を示した断面斜視図である。
【図６】本発明を適用したポータブルトイレの蓋体が開位置に回動され始めた状態を示した縦断面図である。
【図７】本発明を適用したポータブルトイレの蓋体が開位置に配置された状態を示した断面斜視図である。
【図８】本発明を適用したポータブルトイレの蓋体が開位置に配置された状態を示した縦断面図である。
【図９】本発明を適用したポータブルトイレの蓋体が開位置に配置された状態を示した後方斜視図である。
【図１０】本発明を適用したポータブルトイレの蓋体が後方介助位置に配置された状態を示した後方斜視図である。
【図１１】ヒンジ機構を示し、（Ａ）は分解斜視図を示し、（Ｂ）は斜視図を示している。
【図１２】ヒンジ機構と蓋体との結合状態を示した斜視図である。
【図１３】本発明を適用したポータブルトイレの蓋体が閉位置に配置された際のヒンジ機構及び駆動機構の様子を示した側面図である。
【図１４】本発明を適用したポータブルトイレの蓋体が開位置に配置された際のヒンジ機構及び駆動機構の様子を示した側面図である。
【図１５】本発明を適用したポータブルトイレの蓋体が後方介助位置に配置された際のヒンジ機構及び駆動機構の様子を示した側面図である。
【図１６】本発明を適用したポータブルトイレの断面斜視図である。
【図１７】シャッタを示した平面図である。
【図１８】本発明を適用したポータブルトイレの後方斜視図である。
【図１９】ホイール及び駆動機構を示した斜視図である。
【図２０】第１のベース部材を示した斜視図である。
【図２１】カバー部材を示した斜視図である。
【図２２】（Ａ）〜（Ｈ）は、シャッタの変形例を示した平面図である。
【図２３】本発明を適用したポータブルトイレの変形例を示した斜視図である。
【発明を実施するための形態】
【００１３】
以下、本発明を適用したポータブルトイレについて、図面を参照しながら詳細に説明する。なお、本発明は以下の例に限定されるものではなく、本発明の要旨を逸脱しない範囲で、任意に変更可能である。
【００１４】
図１及び図２に示すように、本発明を適用したポータブルトイレ１は、例えば、高齢者や病人や体が不自由な人等が、ベッドから離れることはできるが、病院や自宅等に常設されたトイレまで行けない、又は、トイレまでの移動が不安定な場合において、病室や部屋等のベッドに隣接するように設置して使用する可搬型簡易トイレである。
【００１５】
具体的に、図３に示すように、ポータブルトイレ１は、椅子型のトイレ本体１０と、トイレ本体１０に着脱自在に設けられ、排泄物を貯留するバケツ２０と、トイレ本体１０に回動自在に設けられ、バケツ２０上に配置されて使用者が着座する便座３０と、トイレ本体１０に回動自在に設けられ、トイレ本体１０の上部の一部を成す便座３０を覆う蓋体４０と、バケツ２０の上面の開口端部に当接しながらスライドしてバケツ２０の開口部２０ｂを開閉するシャッタ５０と、シャッタ５０が着脱自在に取り付けられ、シャッタ５０をスライドさせるホイール６０と、蓋体４０の回動に連動してホイール６０を回転駆動させる駆動機構７０と、駆動機構７０を覆うカバー部材８０とを備えている。
【００１６】
このようなポータブルトイレ１は、非使用時には、図１に示すように、蓋体４０が便座３０上の閉位置に配置されて便座３０を覆っているとともに、図４に示すように、シャッタ５０がバケツ２０の上面の開口端部２０ｈに当接した状態でバケツ２０の開口部２０ｂの全体を閉塞している。
【００１７】
その一方で、ポータブルトイレ１は、使用時には、図２に示すように、蓋体４０が上方側に回動されて開位置に配置されて便座３０が露出されるとともに、図５及び図６に示すように、この蓋体４０の上方側（図６中の矢印Ｘ１側及び矢印Ｙ１側）への回動に連動して、駆動機構７０によってホイール６０が一方側（図６中の矢印Ｚ１側）に回転駆動されて、ホイール６０の外周にシャッタ５０が巻き取られ、シャッタ５０が後方側にスライドされることで、図７及び図８に示すように、バケツ２０の開口部２０ｂが開放される。
【００１８】
そして、使用後には、ポータブルトイレ１は、図５及び図６に示すように、蓋体４０が下方側（図６中の矢印Ｘ２側及び矢印Ｙ２側）に回動されて閉位置に配置されて、図１に示すように、蓋体４０によって便座３０が覆われると、図５及び図６に示すように、この蓋体４０の下方側への回動に連動して、駆動機構７０によってホイール６０が他方側（図６中の矢印Ｚ２側）に回転駆動されて、ホイール６０の外周に巻き取られていたシャッタ５０がバケツ２０に向けて排出されて、シャッタ５０がバケツ２０の上面の開口端部２０ｈに当接しながら前方側にスライドされることで、図４に示すように、バケツ２０の開口部２０ｂの全体が閉塞される。
【００１９】
具体的に、トイレ本体１０は、木材等で形成され、図３に示すように、椅子状をなすように設けられている。したがって、トレイ本体１０は、樹脂で形成されたものよりも重量があり、安定している。また、トイレ本体１０は、中央部に開口部を有する矩形状の本体１１と、本体１１の上面の後方側から上方に延びる背凭れ部１２と、背凭れ部１２に設けられた肘掛け部１３と、本体１１の下面の４隅にそれぞれ下方に向けて設けられた脚部１４とを有している。背凭れ部１２は、本体１１の左側面部１１ｅ及び右側面部１１ｆの立上げ部１２ａ，１２ａの上部を背当て部１２ｂで連結する構成を有し、背当て部１２ｂの下に開口部１２ｃが形成されている。
【００２０】
なお、背凭れ部１２、肘掛け部１３及び脚部１４は、任意の高さに調整可能な高さ調整機構を有するようにしても良い。また、肘掛け部１３は、使用者がベッドから容易に着座できるように、取り外し可能なものであっても良く、上方に回動自在なものであっても良い。更に、脚部１４にキャスタを設けて、より容易に搬送できるようにしても良い。
【００２１】
更に、背当て部１２ｂの後方側には、図９に示すように、蓋体４０が上方側に回動されて開位置に配置された際に蓋体４０と当接して蓋体４０の後方側への回動を規制する蓋体ストッパ部１５が設けられている。この蓋体ストッパ部１５は、後方側へ折り曲げられた板部材で構成されている。したがって、蓋体４０は、図８に示すように、上方側に回動されて開位置に配置された際に背当て部１２ｂよりもやや後方側に配置することができ、使用者が背当て部１２ｂに寄りかかった際に、使用者の背中等に当接して座り心地が悪くなることを防止することができる。
【００２２】
また、蓋体ストッパ部１５は、図９に示すように、ピンやボルト等の回動軸となる回動支持部材１５ａによって、回動支持部材１５ａを中心に回転自在に背当て部１２ｂに取り付けられている。したがって、蓋体ストッパ部１５は、使用者が自身で臀部等を拭けない等の介助者による後方からの介助が必要な場合に、図１０に示すように、回動支持部材１５ａを中心に回動させて、蓋体４０の回動の規制を解除して、蓋体４０を更に後方側へ回動させて後方介助位置に配置可能な状態とすることができる。
【００２３】
更に、トイレ本体１０には、図３に示すように、排泄物を貯留するバケツ２０を着脱自在に支持するバケツ受け部材１６が、本体１１の上面に着脱自在に取り付けられている。具体的には、このバケツ受け部材１６は、ポリプロピレン等の樹脂材料で矩形板状に形成されている。そして、バケツ受け部材１６は、本体１１の前面部１１ｃの上面と、後面部１１ｄの上面と、左側面部１１ｅの内面及び右側面部１１ｆの内面に設けられた支持部材１１ｇとに支持されて、本体１１に着脱自在に取り付けられている。
【００２４】
また、バケツ受け部材１６には、バケツ２０の本体部２０ａが挿通される開口部１６ａと、バケツ２０のフランジ部２０ｃが収納されるフランジ収納凹部１６ｂとが設けられている。このフランジ収納凹部１６ｂは、例えばバケツ２０のフランジ部２０ｃと略同じ形状で略同じ大きさ又はやや大きく形成された凹部である。更に、フランジ収納凹部１６ｂの開口部１６ａの周囲には、バケツ２０のフランジ部２０ｃと当接してバケツ２０を支持するバケツ支持壁１６ｃが設けられている。
【００２５】
したがって、バケツ受け部材１６は、バケツ２０の本体部２０ａが開口部１６ａに挿通されてバケツ２０のフランジ部２０ｃがフランジ収納凹部１６ｂに収納された際に、バケツ２０のフランジ部２０ｃとバケツ支持壁１６ｃとが当接することで、バケツ２０を着脱可能に支持する。更に、バケツ支持壁１６ｃは、フランジ収納凹部１６ｂの開口部１６ａの周囲に上方に立設して設けられているので、使用者が排泄する際に排泄物がバケツ２０から外れてバケツ受け部材１６（フランジ収納凹部１６ｂ）に排泄された場合又はバケツ２０に貯留された排泄物がバケツ２０からバケツ受け部材１６（フランジ収納凹部１６ｂ）に飛散された場合に、排泄物を堰き止めて、排泄物がバケツ受け部材１６の開口部１６ａから漏れることを防止する。
【００２６】
更に、バケツ受け部材１６には、フランジ収納凹部１６ｂと同じ面に、便座３０を収納する便座収納凹部１６ｄが設けられている。便座収納凹部１６ｄは、例えば便座３０と略同じ形状で略同じ大きさ又はやや大きく形成された凹部である。更に、便座収納凹部１６ｄは、使用者が排泄する際に排泄物がバケツ２０から外れてバケツ受け部材１６に排泄された場合又はバケツ２０に貯留された排泄物がバケツ２０からバケツ受け部材１６に飛散された場合に、排泄物を堰き止めて、排泄物が本体１１等まで拡散することを防止する。
【００２７】
なお、バケツ受け部材１６は、上述したように、排泄物がバケツ受け部材１６に排泄された場合やバケツ２０に貯留された排泄物がバケツ２０からバケツ受け部材１６に飛散された場合には、トイレ本体１０から取り外すことができるので、容易に、排泄物の廃棄を行うことができるとともに、廃棄後の洗浄を行うことができる。
【００２８】
更に、バケツ受け部材１６には、バケツ２０の開口部２０ｂを開閉するシャッタ５０が挿通されるシャッタ挿通孔１６ｅが形成されている。このシャッタ挿通孔１６ｅは、例えば後面部１６ｆに形成されており、バケツ受け部材１６に支持されたバケツ２０の上面の開口端部２０ｈに当接しながらスライド可能なように、シャッタ５０が挿通される。
【００２９】
バケツ２０は、図３に示すように、内部に排泄物が貯留可能な貯留容器であり、ポリプロピレン等の樹脂材料で形成されている。更に、バケツ２０は、本体部２０ａの上部に開口部２０ｂを有している。更に、バケツ２０の本体部２０ａの上部には、側方に突出した平坦なフランジ部２０ｃが設けられている。バケツ２０は、シャッタ５０が上面の開口端部２０ｈ（フランジ部２０ｃ）に当接しながらスライドすることで、開口部２０ｂが開閉される。したがって、バケツ２０は、高い気密性が確保され、内部に貯留された排泄物の臭気が漏れることを確実に防止することができる。
【００３０】
更に、バケツ２０は、トイレ本体１０に取り付けられたバケツ受け部材１６に着脱可能に取り付けられている。したがって、バケツ２０は、内部に排泄物が貯留された場合にはバケツ受け部材１６から取り外すことで、容易に、内部の排泄物を破棄することができるとともに、破棄後の洗浄を行うことができる。更に、バケツ２０には、本体部２０ａの前方側に他の部分よりも縮径（幅狭）となるように絞られた絞り部２０ｄが設けられている。したがって、バケツ２０は、絞り部２０ｄによって内部の排泄物をより簡単に破棄することができる。
【００３１】
また、バケツ２０には、トイレ本体１０から着脱する際又は廃棄場所や洗浄場所まで持ち運ぶ際に把持するための第１の取手部２０ｅが設けられている。この第１の取手部２０ｅは、略逆Ｕ字状をなし、例えばフランジ部２０ｃに回動自在に設けられている。したがって、バケツ２０は、第１の取手部２０ｅを把持することで、容易に着脱及び持ち運ぶことができる。更に、バケツ２０には、図４に示すように、排泄物を破棄する際に把持する第２の取手部２０ｆが設けられている。この第２の取手部２０ｆは、略Ｃ字状をなし、本体部２０ａの後方側に設けられている。したがって、バケツ２０は、第１の取手部２０ｅを把持するとともに第２の取手部２０ｆを把持することで、排泄物を破棄する場合等に容易に傾けることができ、排泄物を容易に破棄することができる。
【００３２】
また、図３に示すように、バケツ２０のフランジ部２０ｃには、バケツ２０の上面（開口端部２０ｈ）に付着した排泄物の拡散を防止する拡散防止壁２０ｇが設けられている。この拡散防止壁２０ｇは、例えばバケツ２０のフランジ部２０ｃの前方側に上方に向けて設けられている。したがって、拡散防止壁２０ｇは、バケツ２０のフランジ部２０ｃやバケツ２０のフランジ部２０ｃと対向するシャッタ５０の裏面部が排泄物等で汚れていた場合に、シャッタ５０の開閉動作により排泄物等がバケツの前方にしごかれて汚れが拡がることを防止することができる。なお、拡散防止壁２０ｇは、図３及び図４に示すように、排泄物を廃棄しやすいように、中央部２０ｇ１の部位の壁高さが、その他の部位の壁高さよりも低くなっている。
【００３３】
便座３０は、ポリプロピレン等の樹脂材料で形成され、図３に示すように、バケツ受け部材１６の後部に回動自在に設けられている。更に、便座３０は、上部からバケツ受け部材１６を覆うように設けられ、バケツ受け部材１６の便座収納凹部１６ｄに収納されている。なお、便座３０は、トイレ本体１０の本体１１の後部に回動自在に設けるようにしても良い。
【００３４】
蓋体４０は、トイレ本体１０の本体１１に回動自在に設けられ、非使用時には、図１に示すように、閉位置に配置されて便座３０を覆うように設けられて、ポータブルトイレ１を椅子として用いる場合の座面として使用され、ポータブルトイレ１のトイレ装置としての使用時には、図２に示すように、上方に回動されて開位置に配置されて便座３０を露出するように設けられる。具体的に、蓋体４０は、図６に示すように、前方蓋４０ａと後方蓋４０ｂとがヒンジ部材４１を介して山折りになるように連結されている。更に、蓋体４０は、後方蓋４０ｂの後部が本体１１の後部にヒンジ機構４２を介して回動自在に支持されている。
【００３５】
ヒンジ機構４２は、図１１（Ａ）に示すように、トイレ本体１０の本体１１に回動自在に支持される第１の座面ヒンジ部材４３と、第１の座面ヒンジ部材４３に回動自在に支持され、蓋体４０の後方蓋４０ｂに取り付けられる第２の座面ヒンジ部材４４とで構成されている。
【００３６】
第１の座面ヒンジ部材４３は、略矩形状の主面片４３ａと、主面片４３ａの長手方向の両端部に主面片４３ａに対して一方側に略直交するように設けられた一対の側面片４３ｂ，４３ｃとを有している。更に、主面片４３ａには、第２の座面ヒンジ部材４４を回転自在に支持する支持片４３ｄが形成されている。この支持片４３ｄは、主面片４３ａの幅方向の一側面に、主面片４３ａの長手方向に所定の間隔をあけて２個形成されている。具体的に、支持片４３ｄは、主面片４３ａに対して側面片４３ｂとは反対側の他方側に略直交するように設けられた第１の支持片４３ｅと、第１の支持片４３ｅの主面片４３ａの長手方向の中央側の側面に、主面片４３ａの幅方向の外側に向けて略直交するように設けられた第２の支持片４３ｆとで構成されている。
【００３７】
更に、主面片４３ａには、略中央部に、第１の座面ヒンジ部材４３と第２の座面ヒンジ部材４４とを一体に保持する保持部材４５が取り付けられている。保持部材４５は、例えば磁石であり、金属材料等から成る磁気吸着可能な第２の座面ヒンジ部材４４を第１の座面ヒンジ部材４３に一体に保持する。その一方で、第２の座面ヒンジ部材４４は、第１の座面ヒンジ部材４３から離間する方向に所定の荷重が付加されると、保持部材４５による第１の座面ヒンジ部材４３との保持状態を解除することができる。
【００３８】
更に、側面片４３ｂには、貫通孔４６が形成されている。第１の座面ヒンジ部材４３は、側面片４３ｂの貫通孔４６にピンやボルト等の回転支持部材（不図示）が挿通されるとともに、側面片４３ｃが後述する駆動機構７０の回動自在なヒンジ板７５に連結されることで、トイレ本体１０の本体１１に回動自在に支持されている。
【００３９】
第２の座面ヒンジ部材４４は、略矩形状の主面片４４ａと、主面片４４ａの幅方向の一側面部の主面片４４ａの長手方向の略中央部に、主面片４４ａに対して他方側に略直交するように設けられた側面片４４ｂとで構成されている。主面片４４ａは、図１２に示すように、他方側の一主面部が蓋体４０の後方蓋４０ｂの裏面部にボルト等によって締結されている。側面片４４ｂは、図１１（Ａ）に示すように、主面片４４ａに対して他方側に略直交する第１の側面片４４ｃと、第１の側面片４４ｃの主面片４４ａの長手方向の外側の両側面部に、主面片４４ａの幅方向の外側に向けて略直交するように設けられた第２の側面片４４ｄとで構成されている。
【００４０】
第２の座面ヒンジ部材４４は、図１１（Ｂ）に示すように、主面片４４ａを第１の座面ヒンジ部材４３の主面片４３ａに対向させるとともに、第２の側面片４４ｄと第１の座面ヒンジ部材４３の第２の支持片４３ｆとを当接させて、第２の側面片４４ｄの貫通孔４４ｅと第１の座面ヒンジ部材４３の第２の支持片４３ｆの貫通孔４３ｇとに、座面ヒンジピン４７が挿通されることで、第１の座面ヒンジ部材４３に回動自在に支持されている。
【００４１】
このような蓋体４０は、使用時には、図１３に示すような閉位置に配置されて便座３０を覆った状態から、図１４に示すように、第１の座面ヒンジ部材４３の側面片４３ｂの貫通孔４６と、側面片４３ｃと連結された駆動機構７０のヒンジ板７５の第１の回動軸７４ｅとを中心に後方側（図１４中の矢印Ｒ１側）に回動するとともに、ヒンジ部材４１を介して二つ折りにすることで、起立状態とすることができ、開位置に配置されて便座３０を露出させることができる。更に、蓋体４０は、後方介助が必要な場合には、図１４に示すような起立状態から、所定以上の荷重を付加して、図１５に示すように、座面ヒンジピン４７を中心に第２の座面ヒンジ部材４４を第１の座面ヒンジ部材４３に対して後方側（図１５中の矢印Ｒ２側）に回動することで、例えば背凭れ部１２よりも更に後方側に回動して後方介助位置に配置することができる。したがって、図１０に示すように、背当て部１２ｂの下の開口部１２ｃが開放されるので、容易に介助者が後方から介助することができる。
【００４２】
シャッタ５０は、ポリプロピレン等の樹脂材料で形成され、図３に示すように、可撓性を有するシート状の薄板部材で構成されている。このようなシャッタ５０は、バケツ２０の上面の開口端部２０ｈに当接しながらスライドして、バケツ２０の開口部２０ｂを開閉する。更に、シャッタ５０は、図１６に示すように、ホイール６０の外周に着脱自在に取り付けられている。
【００４３】
具体的に、図１７に示すように、シャッタ５０の主面部の基端側には、シャッタ５０を巻き取るホイール６０に取り付けるための取付孔５１が形成されている。この取付孔５１は、例えば第１の取付孔５１ａと第２の取付孔５１ｂとで構成されている。第１の取付孔５１ａ及び第２の取付孔５１ｂは、それぞれ例えば幅方向に所定の長さ切り込まれた切込の中途部に形成された円形状の貫通孔であって、シャッタ５０の幅方向の中心線Ｌに対して対称に設けられている。
【００４４】
更に、シャッタ５０の主面部の基端側には、シャッタ５０をホイール６０に取り付ける際に表裏を逆向きに取り付けることを防止するための逆取付防止孔５２が形成されている。この逆取付防止孔５２は、例えば第１の逆取付防止孔５２ａと第２の逆取付防止孔５２ｂとで構成されている。第１の逆取付防止孔５２ａ及び第２の逆取付防止孔５２ｂは、それぞれ例えば矩形状の貫通孔であって、第１の逆取付防止孔５２ａの第１の取付孔５１ａに対する相対位置と、第２の逆取付防止孔５２ｂの第２の取付孔５１ｂに対する相対位置とが同じとなるように設けられている。ここでは、第１の逆取付防止孔５２ａは、第１の取付孔５１ａに対して、シャッタ５０の先端側と幅方向の一端側とに偏倚して設けられ、第２の逆取付防止孔５２ｂは、第２の取付孔５１ｂに対して、シャッタ５０の先端側と幅方向の一端側とに、第１の逆取付防止孔５２ａと同様に偏倚して設けられている。すなわち、第１の逆取付防止孔５２ａと第２の逆取付防止孔５２ｂとは、シャッタ５０の幅方向の中心線Ｌに対して非対称に設けられている。
【００４５】
ホイール６０は、図１８に示すように、駆動機構７０に回転自在に支持されたホイールシャフト６１の軸線方向に所定の間隔をあけて複数個、ここでは２個設けられている。このホイール６０は、ポリプロピレン等の樹脂材料で形成され、外周にシャッタ５０が着脱自在に取り付けられる。そして、ホイール６０は、使用時には、蓋体４０の上方側への回動に連動して、一方側に回転駆動して、外周にシャッタ５０を巻き取り、シャッタ５０を後方側にスライドさせる。更に、ホイール６０は、蓋体４０の下方側への回動に連動して、他方側に回転駆動して、外周に巻き取られていたシャッタ５０をバケツ２０に向けて排出させる。したがって、ホイール６０は、使用時にシャッタ５０を巻き取ることで、使用時に、使用者の体や衣服がシャッタ５０と触れることがなく、衛生的である。
【００４６】
更に、ホイール６０は、図８に示すように、外周の長さがシャッタ５０のスライド方向のスライド量（ストローク）よりも長くなるように設けられている。好ましくは、ホイール６０は、このスライド量（ストローク）の略１／３よりも長い直径を有する略円環状を成すように設けられている。したがって、ホイール６０の外周に巻き取られたシャッタ５０は、ホイール６０の外周に１巻よりも多く巻き付けられることがなく、シャッタ５０同士が重なって巻き取られることがない。よって、シャッタ５０の裏面に排泄物が付着していた場合でも、シャッタ５０の裏面に付着された排泄物がシャッタ５０が巻き取られた際にシャッタ５０の表面に付着する虞がなく、衛生的である。
【００４７】
また、ホイール６０の外周には、図１６及び図１９に示すように、シャッタ５０の取付孔５１に挿通する取付突起６２が形成されている。更に、ホイール６０は、図４に示すように、例えば、非使用時等の蓋体４０が閉位置に配置されてシャッタ５０がバケツ２０の開口部の全体を閉塞している場合に、この取付突起６２が最上部に位置するように、ホイールシャフト６１に取り付けられている。更に、ホイール６０は、図８に示すように、使用時等の蓋体４０が開位置に配置されてシャッタ５０がバケツ２０の開口部を開放してホイール６０に巻き取られている場合に、この取付突起６２が最上部の位置から例えば一方側（図８中の矢印Ｚ１側）に例えば２７０度回動された位置に配置されるように、外周の長さが設けられている。なお、取付突起６２は、２７０度回動された位置に配置されることに限定されるものではなく、１８０度、３１５度等、適宜変更可能である。
【００４８】
更に、取付突起６２は、図１９に示すように、例えば第１の取付突起６２ａと第２の取付突起６２ｂとで構成されている。第１の取付突起６２ａ及び第２の取付突起６２ｂは、例えばシャッタ５０の取付孔５１に対応した円形状の突起であって、シャッタ５０が外周に取り付けられた際にシャッタ５０の取付孔５１に対応する位置に設けられている。更に、取付突起６２の先端部には、係止部６２ｃが形成されている。したがって、ホイール６０は、取付突起６２の係止部６２ｃをシャッタ５０の取付孔５１に挿通させることで、シャッタ５０を取り付けることができる。その一方で、シャッタ５０の取付孔５１の周囲には切込が形成されているので取付孔５１は弾性変形可能であり、シャッタ５０をホイール６０から離間させるように引き抜くことで、シャッタ５０をホイール６０から取り外すことができる。以上のようにして、ホイール６０は、シャッタ５０を着脱可能に取り付けることができる。
【００４９】
したがって、ホイール６０は、シャッタ５０に排泄物が付着した場合、シャッタ５０を取り外して、容易に洗浄することができ、シャッタ５０を衛生に保つことができる。更に、ホイール６０は、シャッタ５０が経年変化や外力が加わることによる変形や破損等した場合に、シャッタ５０を取り外して、容易に新しいものに交換することができる。
【００５０】
更に、ホイール６０の外周には、シャッタ５０の逆取付防止孔５２に嵌合する逆取付防止突起６３が形成されている。逆取付防止突起６３は、シャッタ５０の第１の逆取付防止孔５２ａに対応する位置に設けられ、第１の逆取付防止孔５２ａと嵌合する第１の逆取付防止突起６３ａと、シャッタ５０の第２の逆取付防止孔５２ｂに対応する位置に設けられ、第２の逆取付防止孔５２ｂと嵌合する第２の逆取付防止突起６３ｂとで構成されている。
【００５１】
したがって、ホイール６０は、シャッタ５０を取り付ける際に、ホイール６０の表裏を間違えて逆向きに取り付けようとしても、逆取付防止突起６３を逆取付防止孔５２に挿通することができず、シャッタ５０を表裏間違えて逆向きに取り付けることを防止することができる。よって、ホイール６０は、シャッタ５０にはホイール６０の外周に巻き取られるために少なからず巻き癖が付くが、一度取り外したシャッタ５０を再度取り付ける際に表裏逆方向に取り付けて巻き癖が逆方向となり、バケツ２０の開口部２０ｂを閉塞する際にバケツ２０の開口端部２０ｈに密接しないことを防止することができる。すなわち、ホイール６０は、バケツ２０の内部に貯留された排泄物の臭気が漏れることを確実に防止することができる。
【００５２】
更に、ホイールシャフト６１の一端側には、駆動機構７０のギア群に噛合されるギア部６４が設けられている。したがって、ホイール６０は、駆動機構７０からギア部６４を介して回転力が伝達されることで一方側又は他方側に回転駆動されて、シャッタ５０を外周に巻き取る又は外周に巻き取ったシャッタ５０をバケツ２０に向けて排出することができる。
【００５３】
駆動機構７０は、図１９に示すように、ホイールシャフト６１の一端部を回転自在に支持する第１のベース部材７１と、第１のベース部材７１と対向配置され、ホイールシャフト６１の他端部を回転自在に支持する第２のベース部材７２と、第１のベース部材７１と第２のベース部材７２とを連結する連結ベース部材７３とで構成されている。
【００５４】
第１のベース部材７１は、図２０に示すように、板金等を折り曲げ成形して設けられた箱部７４ａと蓋部７４ｂとを有し、蓋部７４ｂの主面部７４ｃに軸受部（不図示）を介してホイールシャフト６１の一端部を回転自在に支持するベース部材７４と、ベース部材７４の箱部７４ａの主面部７４ｄに回動自在に設けられ、一片７５ａが蓋体４０と連結されるヒンジ板７５と、ベース部材７４の箱部７４ａの主面部７４ｄに回転自在に設けられ、ヒンジ板７５の他片７５ｂの第１のギア部７５ｃと噛合するとともにホイールシャフト６１のギア部６４と噛合する第２のギア部７６とが設けられている。
【００５５】
ヒンジ板７５は、略Ｕ字状の薄板部材である。ヒンジ板７５は、一片７５ａが蓋体４０の第１の座面ヒンジ部材４３の一端側の側面片４３ｃに連結され、他片７５ｂがベース部材７４の第１の回動軸７４ｅに回動自在に支持された円弧状の第１のギア部７５ｃに連結されている。第２のギア部７６は、ベース部材７４の第２の回動軸７４ｆに回動自在に支持され、図１３に示すように、ヒンジ板７５の第１のギア部７５ｃ及びホイールシャフト６１のギア部６４と噛合する。
【００５６】
第２のベース部材７２は、図１９に示すように、板金等を折り曲げ成形して設けられた箱状部材である。第２のベース部材７２は、主面部７２ａに設けられた軸受部７７を介してホイールシャフト６１の他端部を回転自在に支持している。
【００５７】
したがって、駆動機構７０では、使用時等に、図１４に示すように、蓋体４０が上方側（図１４中の矢印Ｒ１側）に回動されて開位置に配置されると、この蓋体４０による回転力が、第１のギア部７５ｃ、第２のギア部７６、ホイールシャフト６１のギア部６４の順に伝達され、ホイール６０を一方向側（図１４中の矢印Ｔ１側）に回転駆動させて、ホイール６０の外周にシャッタ５０を巻き取る。この際、ヒンジ板７５は、第１のベース部材７１のベース部材７４の側面部７４ｇのストッパ部７９に当接することで、後方側への回動が規制される。具体的には、ストッパ部７９は、ヒンジ板７５が略水平状態となると後方側への回動を規制する。
【００５８】
その一方で、駆動機構７０では、使用後等に、図１３に示すように、蓋体４０が下方側（図１３中の矢印Ｒ３側）に回動されて閉位置に配置されると、この蓋体４０による回転力が、第１のギア部７５ｃ、第２のギア部７６、ホイールシャフト６１のギア部６４の順に伝達され、ホイール６０を他方向側（図１３中の矢印Ｔ２側）に回転駆動させて、ホイール６０の外周に巻き取られたシャッタ５０をバケツ２０に向けて排出する。
【００５９】
更に、図１９に示すように、第１のベース部材７１の側面部７４ｇ及び第２のベース部材７２の側面部７２ｂには、それぞれカバー部材８０を保持する保持部材７８が設けられている。保持部材７８は、例えば磁石であり、金属材料等から成る磁気吸着可能なカバー部材８０を第１のベース部材７１及び第２のベース部材７２に一体に保持する。その一方で、カバー部材８０は、第１のベース部材７１及び第２のベース部材７２から離間する方向に所定の荷重が付加されると、保持部材７８による第１のベース部材７１及び第２のベース部材７２との保持状態を解除することができる。なお、保持部材７８は、面ファスナー等、カバー部材８０を第１のベース部材７１及び第２のベース部材に保持可能であるとともに、カバー部材８０が第１のベース部材７１及び第２のベース部材７２から離間する方向に所定の荷重が付加されると、保持状態が解除可能なものであれば、如何なるものでも良い。
【００６０】
カバー部材８０は、図１８に示すように、トイレ本体１０の左側面部１１ｅ及び右側面部１１ｆ間の後方側に、回動自在に取り付けられている。そして、カバー部材８０は、図４に示すように、ホイール６０の外側に配置されている。このようなカバー部材８０は、図２１に示すように、半円筒状に設けられている。更に、カバー部材８０の長手方向の両端部には、駆動機構７０の第１のベース部材７１及び第２のベース部材７２の保持部材７８と当接する保持部材受け部８１が設けられている。カバー部材８０は、この保持部材受け部８１が駆動機構７０の保持部材７８と当接することで、所定の荷重が付加されるまで第１のベース部材７１及び第２のベース部材７２に一体に保持される。
【００６１】
更に、図２１に示すように、カバー部材８０の内面には、ガイドリブ８２が形成されている。このガイドリブ８２は、カバー部材８０の長手方向に所定の幅を有し、ホイール６０の外径よりもやや大きな内径を有するように設けられており、例えばカバー部材８０の長手方向に所定の間隔をあけて複数個設けられている。例えば、ここでは、ガイドリブ８２は、カバー部材８０の長手方向の略中央部に１個と両端部に各１個、合計３個設けられている。更に、両端部のガイドリブ８２は、それぞれ、ホイール６０と対向するように設けられ、中央部のガイドリブ８２は、ホイール６０，６０間の略中央部に設けられている。このようなガイドリブ８２は、シャッタ５０がスライドする際にホイール６０と協働してシャッタ５０をガイドする。したがって、シャッタ５０は、円滑にスライドすることができる。更に、ガイドリブ８２は、カバー部材８０の本体部の全体でガイドするよりも接触面積を小さくすることができる。よって、シャッタ５０は、より円滑にスライドすることができる。なお、ガイドリブ８２の個数及び配置位置は、上述したものに限定されるものではなく、シャッタ５０がスライドする際にホイール６０と協働してシャッタ５０をガイドするものであれば、適宜変更可能である。
【００６２】
以上のような構成を有するポータブルトイレ１は、非使用時には、蓋体４０が便座３０上の閉位置に配置されて便座３０を覆っているとともに、シャッタ５０がバケツ２０の上面の開口端部２０ｈに当接した状態でバケツ２０の開口部２０ｂを閉塞している。したがって、ポータブルトイレ１は、バケツ２０内は高い気密性を有し、バケツ２０の内部に貯留された排泄物の臭気が漏れることを確実に防止することができる。
【００６３】
また、使用する場合には、ポータブルトイレ１は、先ず、蓋体４０を上方側に回動して、蓋体４０の前方蓋４０ａと後方蓋４０ｂとを、ヒンジ機構４２の第１の座面ヒンジ部材４３の側面片４３ｂの貫通孔４６と、側面片４３ｃと連結された駆動機構７０のヒンジ板７５の第１の回動軸７４ｅとを中心に、背凭れ部１２側（上方側）に回動するとともに、ヒンジ部材４１を介して二つ折りにして、起立状態にして開位置に配置して、便座３０を露出させる。この際、ポータブルトイレ１は、この蓋体４０の上方側への回動に連動して、この蓋体４０による回転力が、第１のギア部７５ｃ、第２のギア部７６、ホイールシャフト６１のギア部６４の順に伝達され、ホイール６０が一方側に回転駆動されて、ホイール６０の外周にシャッタ５０が巻き取られ、シャッタ５０が後方側にスライドされることで、バケツ２０の開口部２０ｂが開放される。
【００６４】
以上のようにして、ポータブルトイレ１は、使用時に蓋体４０の動きに連動して、自動的にバケツ２０の開口部２０ｂを開放することができる。更に、ポータブルトイレ１は、ホイール６０が使用時にシャッタ５０を巻き取ることで、使用時に、使用者の体や衣服がシャッタ５０と触れることがなく、衛生的である。更に、ポータブルトイレ１は、ホイール６０の外周の長さがシャッタ５０のスライド方向のスライド量（ストローク）よりも長くなるように設けられ、ホイール６０の外周に巻き取られたシャッタ５０がホイール６０の外周に１巻よりも多く巻き付けられることがなく、シャッタ５０同士が重なって巻き取られることがないので、シャッタ５０の裏面に排泄物が付着していた場合でも、シャッタ５０に付着した排泄物がシャッタ５０が巻き取られた際にシャッタ５０の表面に付着する虞がなく、衛生的である。更に、ポータブルトイレ１は、カバー部材８０がホイール６０の外側に配置され、カバー部材８０のガイドリブ８２が、シャッタ５０がスライドする際にホイール６０と協働してシャッタ５０をガイドするので、シャッタ５０を円滑にスライドさせることができる。
【００６５】
更に、使用後には、ポータブルトイレ１は、起立状態の蓋体４０を下方側に回動して蓋体４０を閉位置に配置して蓋体４０によって便座３０を覆う。この際、ポータブルトイレ１は、この蓋体４０の下方側への回動に連動して、この蓋体４０による回転力が、第１のギア部７５ｃ、第２のギア部７６、ホイールシャフト６１のギア部６４の順に伝達されて、ホイール６０が他方側に回転駆動されて、ホイール６０の外周に巻き取られていたシャッタ５０がバケツ２０に向けて排出されて、シャッタ５０がバケツ２０の上面の開口端部２０ｈに当接しながら前方側にスライドされることで、バケツ２０の開口部２０ｂの全体が閉塞される。
【００６６】
以上のようにして、ポータブルトイレ１は、使用後に蓋体４０の動きに連動して、自動的にバケツ２０の開口部２０ｂの全体を閉塞することができる。更に、ポータブルトイレ１は、バケツ２０のフランジ部２０ｃに拡散防止壁２０ｇが設けられているので、バケツ２０のフランジ部２０ｃやバケツ２０のフランジ部２０ｃと対向するシャッタ５０の裏面部が排泄物等で汚れていた場合に、シャッタ５０の閉塞動作により排泄物等がバケツ２０の前方にしごかれて汚れが拡がることを防止することができる。
【００６７】
また、使用後に使用者が自身で臀部等を拭けない等、介助者による後方からの介助が必要な場合には、ポータブルトイレ１は、先ず、蓋体ストッパ部１５を回動支持部材１５ａを中心に回動させて、蓋体ストッパ部１５による蓋体４０の回動の規制を解除する。次いで、ポータブルトイレ１は、起立状態の蓋体４０に更に所定以上の荷重を付加してヒンジ機構４２の第１の座面ヒンジ部材４３と第２の座面ヒンジ部材４４との保持状態を解除して、座面ヒンジピン４７を中心に第２の座面ヒンジ部材４４を第１の座面ヒンジ部材４３に対して後方側に回動させて、蓋体４０を、背凭れ部１２よりも更に後方側に回動させて後方介助位置に配置して、背当て部１２ｂの下の開口部１２ｃを開放させる。以上のようにして、ポータブルトイレ１は、容易に、介助者が後方から介助することができる。なお、蓋体４０は、保持部材４５で保持される構成である為、蓋体ストッパ部１５は、必ずしも設けられていなくとも良い。
【００６８】
また、使用後に排泄物を破棄する場合には、ポータブルトイレ１は、先ず、蓋体４０を上方側に回動して二つ折りの起立状態として蓋体４０を開位置に配置して便座３０を露出させた後に、便座３０を上方側に回動させてバケツ２０を露出させる。次いで、ポータブルトイレ１は、内部に排泄物が貯留されたバケツ２０をバケツ受け部材１６から取り外して、バケツ２０の内部の排泄物を破棄するとともに、破棄後にバケツ２０の洗浄を行う。以上のようにして、ポータブルトイレ１は、使用後に、容易に、バケツ２０に貯留された排泄物を破棄するとともに、破棄後にバケツ２０の洗浄を行うことができる。
【００６９】
また、使用後に、バケツ受け部材１６に排泄された排泄物やバケツ２０からバケツ受け部材１６に飛散された排泄物を破棄する場合には、先ず、蓋体４０を上方側に回動して二つ折りの起立状態として蓋体４０を開位置に配置した後に、バケツ受け部材１６を、トイレ本体１０から取り外して、バケツ受け部材１６に付着した排泄物を破棄するとともに、破棄後の洗浄を行う。以上のようにして、ポータブルトイレ１は、使用後に、容易に、バケツ受け部材１６に付着した排泄物を破棄するとともに、破棄後にバケツ受け部材１６の洗浄を行うことができる。
【００７０】
また、使用後にシャッタ５０を洗浄する場合又は新品と交換する場合には、図１８に示すように、ポータブルトイレ１は、先ず、蓋体４０が閉位置に配置されて蓋体４０によって便座３０が覆われた状態で、カバー部材８０をトイレ本体１０から取り外す。次いで、ポータブルトイレ１は、シャッタ５０をホイール６０から離間する方向に引き抜くことで、シャッタ５０とホイール６０の取付突起６２の係止部６２ｃとの係止状態が解除され、ホイール６０から取り外すことができる。次いで、ポータブルトイレ１は、シャッタ５０を、後方側に引き抜き、バケツ受け部材１６のシャッタ挿通孔１６ｅから引き抜くことで、本体１１から取り外すことができる。なお、取付突起６２は、蓋体４０が閉位置に配置されて蓋体４０によって便座３０が覆われた状態においては、ホイール６０の最上部に位置するように形成されており、カバー部材８０を取り外した場合、後方から視認可能な位置に配置されているので、容易にシャッタ５０の着脱作業を行うことができる。
【００７１】
次いで、ポータブルトイレ１は、洗浄した又は新品のシャッタ５０を、後方側からバケツ受け部材１６のシャッタ挿通孔１６ｅに挿通させた後に、シャッタ５０の取付孔５１にホイール６０の取付突起６２を挿通させて、ホイール６０の取付突起６２の係止部６２ｃをシャッタ５０に係合させるとともに、シャッタ５０の逆取付防止孔５２にホイール６０の逆取付防止突起６３を挿通させることで、洗浄した又は新品のシャッタ５０をホイール６０に取り付けることができる。次いで、ポータブルトイレ１は、カバー部材８０をトイレ本体１０側に近接するように回動させて、トイレ本体１０の保持部材７８によって、カバー部材８０をトイレ本体１０に取り付ける。
【００７２】
以上のようにして、ポータブルトイレ１は、シャッタ５０に排泄物が付着した場合に、シャッタ５０を取り外して、容易に、洗浄することができ、シャッタ５０を衛生を保つことができる。更に、ポータブルトイレ１は、シャッタ５０が経年変化や外力が加わることによる変形や破損等した場合に、シャッタ５０を取り外して、容易に新しいものに交換することができる。
【００７３】
なお、本発明を適用したポータブルトイレ１は、バケツ受け部材１６、バケツ２０、便座３０、シャッタ５０及びホイール６０を、ポリプロピレンで形成することに限定されるものではなく、他の樹脂材料、又は、金属や木材等の他の材料で形成するようにしても良い。更に、本発明を適用したポータブルトイレ１は、トイレ本体１０を、木材等で形成することに限定されるものではなく、ポリプロピレンや他の樹脂材料等、他の材料で形成するようにしても良い。
【００７４】
また、本発明を適用したポータブルトイレ１は、便座３０を、バケツ受け部材１６に回動自在に設けることに限定されるものではなく、トイレ本体１０の本体１１の後部に回動自在に設けるようにしても良い。更に、本発明を適用したポータブルトイレ１は、バケツ受け部材１６を、トイレ本体１０の本体１１に着脱自在に設けることに限定されるものではなく、トイレ本体１０の本体１１の上面に一体に設けるようにしても良い。
【００７５】
また、本発明を適用したポータブルトイレ１は、バケツ受け部材１６に、バケツ２０の本体部２０ａが挿通される開口部１６ａの代わりに、有底でバケツ２０の本体部２０ａと同様の形状を有し、バケツ２０の本体部２０ａが収納される本体収納凹部を設けるようにしても良い。したがって、バケツ受け部材１６は、排泄物がバケツ受け部材１６に排泄された場合やバケツ２０に貯留された排泄物がバケツ２０からバケツ受け部材１６に飛散した場合に、排泄物を本体収納凹部に収容することができ、より確実に排泄物がバケツ受け部材１６から漏れてトイレ本体１０の本体１１等に拡散することを防止することができる。
【００７６】
また、本発明を適用したポータブルトイレ１は、シャッタ５０の取付孔５１及びホイール６０の取付突起６２を略円形に設け、シャッタ５０の逆取付防止孔５２及びホイール６０の逆取付防止突起６３を略矩形状に設けることに限定されるものではなく、他の形状に設けるようにしても良い。
【００７７】
更に、本発明を適用したポータブルトイレ１は、図２２（Ａ）に示すように、逆取付防止孔５２の第１の逆取付防止孔５２ａを第１の形状に設け、第２の逆取付防止孔５２ｂを第１の形状とは異なる第２の形状に設け、第１の逆取付防止孔５２ａと第２の逆取付防止孔５２ｂとを、それぞれ異なる形状に設けて、シャッタ５０の幅方向の中心線Ｌに対して非対称に設けるようにしても良い。以上のようにしても、ポータブルトイレ１は、逆取付防止孔５２がシャッタ５０の幅方向の中心線Ｌに対して非対称に設けられているので、シャッタ５０をホイール６０に取り付ける際に、シャッタ５０を表裏間違えて逆向きに取り付けることを防止することができる。
【００７８】
更に、本発明を適用したポータブルトイレ１は、図２２（Ｂ）に示すように、第１の逆取付防止孔５２ａと第２の逆取付防止孔５２ｂとを、それぞれ異なる形状に設けるとともに、シャッタ５０の幅方向の中心線Ｌに対して対称の位置に設けて、シャッタ５０の幅方向の中心線Ｌに対して非対称に設けるようにしても良い。以上のようにしても、ポータブルトイレ１は、逆取付防止孔５２がシャッタ５０の幅方向の中心線Ｌに対して非対称に設けられているので、シャッタ５０をホイール６０に取り付ける際に、シャッタ５０を表裏間違えて逆向きに取り付けることを防止することができる。
【００７９】
更に、本発明を適用したポータブルトイレ１は、図２２（Ｃ）及び図２２（Ｄ）に示すように、第１の逆取付防止孔５２ａと第２の逆取付防止孔５２ｂとを、シャッタ５０の長手方向に位相を異ならせて設けて、シャッタ５０の幅方向の中心線Ｌに対して非対称に設けるようにしても良い。この際、第１の逆取付防止孔５２ａと第２の逆取付防止孔５２ｂとは、図２２（Ｃ）に示すように、シャッタ５０の幅方向の中心線Ｌに対して非対称の位置に設けるようにしても良く、図２２（Ｄ）に示すように、対称の位置に設けるようにしても良い。以上のようにしても、ポータブルトイレ１は、逆取付防止孔５２がシャッタ５０の幅方向の中心線Ｌに対して非対称に設けられているので、シャッタ５０をホイール６０に取り付ける際に、シャッタ５０を表裏間違えて逆向きに取り付けることを防止することができる。
【００８０】
更に、本発明を適用したポータブルトイレ１は、シャッタ５０に取付孔５１及び逆取付防止孔５２を設け、ホイール６０に取付突起６２及び逆取付防止突起６３を設けることに限定されるものではなく、図２２（Ｅ）〜図２２（Ｈ）に示すように、シャッタ５０に取付孔５１としても機能する逆取付防止孔５２だけを設け、ホイール６０に取付突起６２としても機能する逆取付防止突起６３だけを設けるようにしても良い。また、本発明を適用したポータブルトイレ１は、第１の逆取付防止孔５２ａを第１の形状に設け、第２の逆取付防止孔５２ｂを第１の形状とは異なる第２の形状に設け、第１の逆取付防止孔５２ａと第２の逆取付防止孔５２ｂとを、それぞれ異なる形状に設けて、シャッタ５０の幅方向の中心線Ｌに対して非対称に設けるようにしても良い。以上のようにしても、ポータブルトイレ１は、逆取付防止孔５２がシャッタ５０の幅方向の中心線Ｌに対して非対称に設けられているので、シャッタ５０をホイール６０に取り付ける際に、シャッタ５０を表裏間違えて逆向きに取り付けることを防止することができる。
【００８１】
更に、本発明を適用したポータブルトイレ１は、シャッタ５０に逆取付防止孔５２だけを設ける場合に、第１の逆取付防止孔５２ａと第２の逆取付防止孔５２ｂとを、図２２（Ｅ）に示すように、異なる形状に設けるとともに、シャッタ５０の幅方向の中心線Ｌに対して非対称の位置に設けるようにしても良く、図２２（Ｆ）に示すように、異なる形状に設けるとともに、対称の位置に設けるようにしても良い。以上のようにしても、ポータブルトイレ１は、逆取付防止孔５２がシャッタ５０の幅方向の中心線Ｌに対して非対称に設けられているので、シャッタ５０をホイール６０に取り付ける際に、シャッタ５０を表裏間違えて逆向きに取り付けることを防止することができる。
【００８２】
更に、本発明を適用したポータブルトイレ１は、シャッタ５０に逆取付防止孔５２だけを設ける場合に、第１の逆取付防止孔５２ａと第２の逆取付防止孔５２ｂとを、図２２（Ｇ）に示すように、シャッタ５０の長手方向に位相を異ならせて設けるとともに、シャッタ５０の幅方向の中心線Ｌに対して非対称に設けるようにしても良く、図２２（Ｈ）に示すように、シャッタ５０の長手方向に位相を異ならせて設けるとともに、シャッタ５０の幅方向の中心線Ｌに対して対称に設けるようにしても良い。以上のようにしても、ポータブルトイレ１は、逆取付防止孔５２がシャッタ５０の幅方向の中心線Ｌに対して非対称に設けられているので、シャッタ５０をホイール６０に取り付ける際に、シャッタ５０を表裏間違えて逆向きに取り付けることを防止することができる。
【００８３】
また、本発明を適用したポータブルトイレ１は、シャッタ５０に取付孔５１及び逆取付防止孔５２を設け、ホイール６０に取付突起６２及び逆取付防止突起６３を設けることに限定されるものではなく、シャッタ５０に取付突起６２及び逆取付防止突起６３を設け、ホイール６０に取付孔５１及び逆取付防止孔５２を設けるようにしても良い。
【００８４】
また、本発明を適用したポータブルトイレ１は、蓋体４０の回動に連動して、ホイール６０が駆動機構７０によって一方側又は他方側に回転駆動されて、シャッタ５０を外周に巻き取る又は外周に巻き取ったシャッタ５０をバケツ２０に向けて排出することに限定されるものではなく、蓋体４０の回動に関係なく、ホイール６０が駆動モータ等の駆動部によって回転駆動されて、シャッタ５０を外周に巻き取る又は外周に巻き取ったシャッタ５０をバケツ２０に向けて排出するようにしても良い。
【００８５】
また、本発明を適用したポータブルトイレ１は、シャッタ５０をホイール６０に着脱可能に取り付けられていることに限定されるものではなく、シャッタ５０がホイール６０に固定されて一体となっているようにしても良い。
【００８６】
また、本発明を適用したポータブルトイレ１は、トイレ本体１０が、図２３に示すように、背凭れ部１２、肘掛け部１３及び脚部１４を設けずに、単に、円形、矩形又は多角形の筒状の本体１１から成るようにしても良い。また、この場合、ポータブルトイレ１は、トイレ本体１０がポリプロピレン等の樹脂材料で形成されるようにしても良い。
【符号の説明】
【００８７】
１  ポータブルトイレ、１０  トイレ本体、１１  本体、１１ｃ  前面部、１１ｄ  後面部、１１ｅ  左側面部、１１ｆ  右側面部、１１ｇ  支持部材、１２  背凭れ部、１２ａ  立上げ部、１２ｂ  背当て部、１２ｃ  開口部、１３  肘掛け部、１４  脚部、１５  蓋体ストッパ部、１５ａ  回動支持部材、１６  バケツ受け部材、１６ａ  開口部、１６ｂ  フランジ収納凹部、１６ｃ  バケツ支持壁、１６ｄ  便座収納凹部、１６ｅ  シャッタ挿通孔、１６ｆ  後面部、２０  バケツ、２０ａ  本体部、２０ｂ  開口部、２０ｃ  フランジ部、２０ｄ  絞り部、２０ｅ  第１の取手部、２０ｆ  第２の取手部、２０ｇ  拡散防止壁、２０ｈ  開口端部、３０  便座、４０  蓋体、４０ａ  前方蓋、４０ｂ  後方蓋、４１  ヒンジ部材、４２  ヒンジ機構、４３  第１の座面ヒンジ部材、４３ａ  主面片、４３ｂ  側面片、４３ｃ  側面片、４３ｄ  支持片、４３ｅ  第１の支持片、４３ｆ  第２の支持片、４３ｇ  貫通孔、４４  第２の座面ヒンジ部材、４４ａ  主面片、４４ｂ  側面片、４４ｃ  第１の側面片、４４ｄ  第２の側面片、４４ｅ  貫通孔、４５  保持部材、４６  貫通孔、４７  座面ヒンジピン、５０  シャッタ、５１  取付孔、５１ａ  第１の取付孔、５１ｂ  第２の取付孔、５２  逆取付防止孔、５２ａ  第１の逆取付防止孔、５２ｂ  第２の逆取付防止孔、６０  ホイール、６１  ホイールシャフト、６２  取付突起、６２ａ  第１の取付突起、６２ｂ  第２の取付突起、６２ｃ  係止部、６３  逆取付防止突起、６３ａ  第１の逆取付防止突起、６３ｂ  第２の逆取付防止突起、６４  ギア部、７０  駆動機構、７１  第１のベース部材、７２  第２のベース部材、７２ａ  主面部、７２ｂ  側面部、７３  連結ベース部材、７４  ベース部材、７４ａ  箱部、７４ｂ  蓋部、７４ｃ  主面部、７４ｄ  主面部、７４ｅ  第１の回動軸、７４ｆ  第２の回動軸、７４ｇ  側面部、７５  ヒンジ板、７５ａ  一片、７５ｂ  他片、７５ｃ  第１のギア部、７６  第２のギア部、７７  軸受部、７８  保持部材、７９  ストッパ部、８０  カバー部材、８１  保持部材受け部、８２  ガイドリブ
【図１】
2014061184.tif 000003
【図２】
2014061184.tif 000004
【図３】
2014061184.tif 000005
【図４】
2014061184.tif 000006
【図５】
2014061184.tif 000007
【図６】
2014061184.tif 000008
【図７】
2014061184.tif 000009
【図８】
2014061184.tif 000010
【図９】
2014061184.tif 000011
【図１０】
2014061184.tif 000012
【図１１】
2014061184.tif 000013
【図１２】
2014061184.tif 000014
【図１３】
2014061184.tif 000015
【図１４】
2014061184.tif 000016
【図１５】
2014061184.tif 000017
【図１６】
2014061184.tif 000018
【図１７】
2014061184.tif 000019
【図１８】
2014061184.tif 000020
【図１９】
2014061184.tif 000021
【図２０】
2014061184.tif 000022
【図２１】
2014061184.tif 000023
【図２２】
2014061184.tif 000024
【図２３】
2014061184.tif 000025